(57)【特許請求の範囲】
【請求項１】
管継手の外側からガスケットの材質を判別する装置であって、管継手(1)の軸方向の所定位置に当てられる位置決め用先端部(11a)を有しているボディ(11)と、管継手(1)のガスケット装着位置(G)の近傍に位置するガスケット判別用先端部(12a)を有するアーム(12)と、ボディ(11)にアーム(12)を回転可能に連結する回転軸(13)と、管継手(1)の外側からガスケットを臨むようにアーム(12)のガスケット判別用先端部(12a)に設けられたマグネット(14)とを備えており、ガスケットがニッケルなどの磁性体の場合には、マグネット(14)とガスケットとの間に働く磁力によってアーム(12)が所定位置まで回転し、ガスケットがステンレス鋼などの非磁性体の場合には、アーム(12)がこの所定位置から外れた位置まで回転するようになされている管継手のガスケット材質判別装置。
【請求項２】
アーム(12)の基端部に、回転軸回りのモーメントを調整するカウンターウェイト(21)が取り付けられている請求項１の管継手のガスケット材質判別装置。
【請求項３】
アーム(12)は、アーム(12)の回転軸中心と重心とのずれによる回転軸回りのモーメントに抗して回転させられた位置に手で支持される初期位置と、アーム(12)の回転軸中心と重心とのずれによる回転軸回りのモーメントと磁力による回転軸回りのモーメントとがバランスする位置に停止させられる磁力有り停止位置と、アーム(12)の回転軸中心と重心とのずれによる回転モーメントによって回転させられた後にボディ(11)に設けられたストッパ(18)によって停止させられる磁力無し停止位置とに移動可能とされている請求項１の管継手のガスケット材質判別装置。
【請求項４】
アーム(12)を回転軸中心と重心とのずれによる回転軸回りのモーメントに抗して回転させた際にそれ以上の回転を阻止するストッパ(17)がボディ(12)に設けられている請求項３の管継手のガスケット材質判別装置。
【発明の詳細な説明】
【０００１】
【発明の属する技術分野】
この発明は、管継手で使用されているガスケットの材質を管継手を分解せずに推定するガスケット材質判別装置に関する。
【０００２】
【従来の技術】
管継手は、流体制御装置などにおいて種々の箇所の接続に使用されているが、このような管継手として、例えば図５に示すものが知られている。同図において、管継手(1)は、環状突起(2a)(3a)が突き合わせ面に設けられた第１および第２継手部材(2)(3)と、両継手部材(2)(3)間に介在させられたガスケット(4)と、ガスケット(4)を第１継手部材(2)に保持させているリテーナ(5)と、第１継手部材(2)にねじ合わされた袋ナット(6)と、袋ナット(6)と第２継手部材(3)の端部フランジとの間に介在させられたスラストリング(7)とを備えている。
【０００３】
この管継手(1)によると、袋ナット(6)を締め付けることにより、ガスケット(4)が変形して適正なシール力が得られる。
【０００４】
袋ナット(6)は、レンチ等が掛けられる六角筒状部分(6a)と、その頂部を覆う孔あき円板部分(6b)とを有している。
【０００５】
両継手部材(2)(3)、リテーナ(5)、袋ナット(6)およびスラストリング(7)は、ステンレス鋼製が一般的であり、ガスケット(4)は、ニッケル（合金を含む）製またはステンレス鋼製が一般的である。
【０００６】
ガスケット(4)の材質は、耐久性、耐食性などを考慮して決定されているが、流される流体の性質によって、ニッケル製でもステンレス鋼製でも可である場合と、いずれか一方しか使えない場合とがある。ガスケットを誤って使用すると、ガス種によっては腐食し、ガス漏れが起こる可能性がある。しかしながら、例えば、ステンレス鋼製のガスケットを使用したい継手部にニッケル製のものを誤って使用した場合、管継手の外側からの判別は不可能であった。
【０００７】
【発明が解決しようとする課題】
上記のように、管継手の外側からのガスケットの判別が不可能であるので、ガスケットの材質を判別するには、管継手を分解することが必要となるが、すでに組み立てられた流体制御装置における管継手の分解作業は、非常に手間がかかるという問題がある。
【０００８】
この発明の目的は、管継手を分解することなく、ガスケットの材質を判別し、これによって、管継手のメンテナンス性を向上させることができる管継手のガスケット材質判別装置を提供することにある。
【０００９】
【課題を解決するための手段および発明の効果】
この発明による管継手のガスケット材質判別装置は、管継手の外側からガスケットの材質を判別する装置であって、管継手の軸方向の所定位置に当てられる位置決め用先端部を有しているボディと、管継手のガスケット装着位置の近傍に位置するガスケット判別用先端部を有するアームと、ボディにアームを回転可能に連結する回転軸と、管継手の外側からガスケットを臨むようにアームのガスケット判別用先端部に設けられたマグネットとを備えており、ガスケットがニッケルなどの磁性体の場合には、マグネットとガスケットとの間に働く磁力によってアームが所定位置まで回転し、ガスケットがステンレス鋼などの非磁性体の場合には、アームがこの所定位置から外れた位置まで回転するようになされているものである。
【００１０】
この発明の管継手のガスケット材質判別装置によると、管継手に外側からボディおよびアームを当てると、ボディに回転可能に連結されたアームが、ガスケットが磁性体か非磁性体かによって、異なる位置に移動するので、アームの移動位置からガスケット材質を判別することができる。
【００１１】
アームの基端部に、回転軸回りのモーメントを調整するカウンターウェイトが取り付けられていることが好ましい。カウンターウェイトは着脱自在とされる。このようにすると、マグネットの重さおよびマグネットとガスケットの間の磁力の大きさに応じて、このカウンターウェイトを調整することにより、ガスケットの材質に応じたアームの適切な回転を保証することができる。
【００１２】
ガスケット材質を判別するに際して、アームは、例えば、アームの回転軸中心と重心とのずれによる回転軸回りのモーメントに抗して回転させられた位置に手で支持される初期位置と、アームの回転軸中心と重心とのずれによる回転軸回りのモーメントと磁力による回転軸回りのモーメントとがバランスする位置に停止させられる磁力有り停止位置と、アームの回転軸中心と重心とのずれによる回転モーメントによって回転させられた後にボディに設けられたストッパによって停止させられる磁力無し停止位置とに移動可能とされる。このようにすると、初期位置で手を離すと、ガスケットが磁性体か非磁性体かに応じて、磁力有り停止位置か磁力無し停止位置かにアームが移動するので、判別作業を極めて容易に行うことができる。
【００１３】
上記の初期位置を保証するために、アームを回転軸中心と重心とのずれによる回転軸回りのモーメントに抗して回転させた際にそれ以上の回転を阻止するストッパがボディに設けられていることが好ましい。これにより、初期位置が一定に保たれ、判別作業の精度がよくなり能率が向上する。
【００１４】
【発明の実施の形態】
この発明の実施の形態を、以下図面を参照して説明する。
【００１５】
以下の説明において、管継手の軸方向を上下方向（垂直方向）とし、これに直角な水平面で互いに直交する方向を左右方向および前後方向というものとする。すなわち、図１の紙面の表裏方向を上下方向、図１の左右方向を左右方向、図１の上下方向を前後方向、図２の上下方向を上下方向、図２の左右方向を左右方向、図２の紙面の表裏方向を前後方向とそれぞれいうものとする。また、時計方向および反時計方向は図の表側から見ていうものとする。
【００１６】
この発明による管継手のガスケット材質判別装置は、図５に示した管継手(1)の外側からガスケット(4)の材質を判別する装置であって、図１から図４までに示すように、管継手(1)の軸方向（上下方向）の所定位置に当てられる位置決め用先端部(11a)を有しているアルミニウム合金製四角柱状ボディ(11)と、ボディ(11)と前後に重ね合わせられており管継手(1)のガスケット装着位置の近傍に位置するガスケット判別用先端部(12a)を有するプラスチック製四角柱状アーム(12)と、ボディ(11)にアーム(12)を回転可能に連結する前後方向にのびるステンレス鋼製回転軸(13)と、管継手(1)の外側からガスケットを臨むようにアーム(12)のガスケット判別用先端部(12a)に取り付けられたマグネット(14)とを備えている。
【００１７】
アーム(12)のガスケット判別用先端部(12a)は、ボディ(11)の位置決め用先端部(11a)よりも突出させられており、ボディ(11)の下面は、アーム(12)の下面よりも下方に位置させられている。
【００１８】
ボディ(11)の位置決め用先端部(11a)は、管継手(1)の袋ナット(6)に当てられるようになされており、袋ナット(6)の六角筒状部分(6a)の隣り合う２つの側面に左右方向外側から当てられるＶ字状の切込み部(15)と、切込み部(15)から突出する部分を有し袋ナット(6)の孔あき円板部分(6b)に上下方向外側から当てられる前後一対の円形ガイド板(16)とを有している。
【００１９】
ボディ(11)のアーム(12)と接している側面の下部には、アーム側に突出する左右の突起(17)(18)が設けられている。これらの突起(17)(18)は、回転軸(13)の軸線から等距離の位置に設けられており、先端側の突起(17)が、アームの反時計方向の回転を停止させるストッパとされ、基端側の突起(18)がアーム(12)の時計方向の回転を停止させるストッパとされている。
【００２０】
アーム(12)のガスケット判別用先端部(12a)には、前後方向に貫通する孔(19)があけられている。マグネット(14)は、端部がわずかに露出するように、この貫通孔(19)に挿入されており、その端面が袋ナット(6)の六角筒状部分(6a)の側面に前後方向外側から当てられるようになされている。図２および図４にＧで示す位置は、ガスケットの中心位置を示しており、ガスケットが磁性体である場合には、マグネット(14)とガスケット(G)との間に磁力が生じ、この磁力がマグネットに及ぼす力は、矢印で示すように、下向きの力の成分したがってアーム(12)を反時計回りに回転させる成分を有している。
【００２１】
回転軸(13)が挿通されている貫通孔は、アーム(12)のちょうど中心（左右方向の中央でかつ上下方向中央）に設けられている。回転軸(13)は、抜け止め用の頭部(13a)を有しており、アーム(12)の貫通孔にゆるく挿通されて、ボディ(11)を貫通し、ボディ(11)に固定されている。
【００２２】
アーム(12)の基端部には、回転軸(13)を中心とした先端部(12a)の貫通孔(19)の対称位置に、前後方向に貫通する孔(20)があけられている。この貫通孔(20)には、マグネット(14)の重さによる回転軸(13)回りのモーメントと逆方向のモーメントを生成するカウンターウェイト(21)が挿入されている。このカウンターウェイト(21)の重さは、マグネット(14)の重さよりも若干大きくなされており、これにより、アーム(12)の重心が回転軸(13)中心よりも若干基端寄りにずれて、アーム(12)全体では、回転軸(13)を中心とした時計方向のモーメントが存在するようになされている。
【００２３】
なお、図示省略したが、アーム(12)の左右方向の中間部分には、回転軸(13)を中心とした対称位置に、軽量化を図るための貫通孔が設けられている。
【００２４】
図２から図４までの図において、図２は、アーム(12)が手で支持されている初期位置を、図３は、ガスケットによる磁力がない場合にアーム(12)が停止させられる磁力無し停止位置を、図４は、ガスケットによる磁力がある場合にアーム(12)が停止させられる磁力有り停止位置をそれぞれ示している。
【００２５】
図２の初期位置では、アーム(12)は、アーム(12)の回転軸中心と重心とのずれによる回転軸回りの時計方向モーメントに抗して反時計方向に回転させられており、ボディ(11)の先端側の突起(17)によってそれ以上の反時計方向への回転が阻止されている。
【００２６】
ガスケットが磁性体でない場合には、図２の状態で手を離すことによって、アーム(12)は、アーム(12)の回転軸中心と重心とのずれによる回転軸回りのモーメントによって時計方向に回転し、ボディ(11)の基端側の突起(18)によってそれ以上の時計方向への回転が阻止されて停止させられ、図３の磁力無し停止位置となる。
【００２７】
ガスケットが磁性体である場合には、図２の状態で手を離すことによって、アームの回転軸中心と重心とのずれによる回転軸回りのモーメントと磁力による回転軸回りのモーメントとがバランスすることになり、アーム(12)は、ボディ(11)の基端側の突起(18)によって停止させられる前に停止させられ、図４の磁力有り停止位置となる。この位置は、同図に実線および鎖線で示すように、ある程度ばらつきを持っているが、これがほぼ水平位置となるようにカウンターウェイト(21)が調整される。なお、相対的に磁力を大きくすることにより、アーム(12)が図２の状態からほとんど回転しないようにすることも可能であり、この場合でも、ガスケットの材質の判別が可能である。
【００２８】
こうして、このガスケット判別装置によると、ガスケットがニッケルなどの磁性体の場合には、マグネットとガスケットとの間に働く磁力によってアーム(12)が所定位置まで回転し、ガスケットがステンレス鋼などの非磁性体の場合には、アーム(12)がこの所定位置から外れた位置まで回転し、ガスケット材質を判別することができる。
【００２９】
この発明による管継手のガスケット材質判別装置を使用して、図５に示した管継手(1)に対して使用したところ、ガスケット(4)がニッケル製かステンレス鋼製かによって、アーム(12)の停止位置が異なることが確認された。また、図６に示した管継手(1)に対して使用したところ、この場合でも、ガスケット(24)がニッケル製かステンレス鋼製かによって、アーム(12)の停止位置が異なることが確認された。図６に示した管継手(1)は、環状突起(22a)(23a)が突き合わせ面に設けられた第１および第２継手部材(22)(23)と、両継手部材(22)(23)間に介在させられたガスケット(24)と、ガスケット(24)を第２継手部材(23)に保持させているリテーナ(25)と、第１継手部材(23)にねじ合わされた袋ナット(6)と、袋ナット(6)と第２継手部材(23)の端部フランジとの間に介在させられたスラストリング(7)を備えているもので、図５に示した管継手(1)のリテーナ(5)は、内方に突出した爪(5a)で段付状のガスケット(5)の外径を保持しているのに対し、図６に示した管継手(1)では、リテーナ(25)が端壁付き円筒形で、ガスケット(24)はリテーナ(25)内に嵌め入れられている。また、環状突起(22a)(23a)の突出量も大きくなっている。これらの違いのため、図６に示した管継手(1)のガスケット(24)は、厚みが相対的に薄くなっているが、このような管継手(1)であっても、極めて精度よくガスケット(24)の材質の判別ができることが保証できる。スラストリング(7)の有無などの仕様が変わった場合でも同様にガスケット(24)の材質の判別ができることはもちろんである。
【００３０】
なお、上記においては、管継手(1)の軸方向が上下方向（鉛直方向）であるとしたが、この判別装置は、管継手(1)の軸方向が水平方向で、回転軸(13)の軸方向が垂直方向であっても使用できる。この場合には、アーム(12)の自重による回転モーメントが働かないことから、ガスケットの磁力が存在するときには、図４の状態から図２の状態になりやすくまた図４の状態から図３の状態になりにくいことから、ガスケットが磁性体であると判定することができ、ガスケットからの磁力が存在しないときには、図４の状態から図３の状態になりやすくまた図４の状態から図２の状態になりにくいことから、ガスケットが非磁性体であると判定することができる。
【図面の簡単な説明】
【図１】この発明による管継手のガスケット材質判別装置を示す一部を切り欠いた平面図である。
【図２】同側面図である。
【図３】ガスケットが磁性体でない場合の管継手のガスケット材質判別装置を示す側面図である。
【図４】ガスケットが磁性体である場合の管継手のガスケット材質判別装置を示す側面図である。
【図５】このガスケット材質判別装置が対称とする管継手の一例を示す縦断面図である。
【図６】このガスケット材質判別装置が対称とする管継手の他の例を示す縦断面図である。
【符号の説明】
(1)       管継手
(11)      ボディ
(11a)     位置決め用先端部
(12)      アーム
(12a)     ガスケット判別用先端部
(13)      回転軸
(14)      マグネット
(17)      先端側突起（反時計回り停止用ストッパ）
(18)      基端側突起（時計回り停止用ストッパ）
(21)      カウンターウェイト
【図１】
0003911531.tif 000002
【図２】
0003911531.tif 000003
【図３】
0003911531.tif 000004
【図４】
0003911531.tif 000005
【図５】
0003911531.tif 000006
【図６】
0003911531.tif 000007